(57)【要約】【課題】洗濯物、洗濯水、及び内槽等に付着あるいは混入した雑菌を効率よく死滅させる二重槽式洗濯機の殺菌装置を得る。【解決手段】無孔板により上部側が開口し、かつ底部側に排水口（１０ａ）を有する有底円筒状の外槽（１０）を設け、該外槽（１０）内に略同軸に嵌合されて回転可能に支持され、少なくとも周壁に多数の小孔（１５ａ）を有する上部が開口した有底円筒状の内槽（１５）を設け、前記排水口（１０ａ）を開閉する排水装置（１１）、前記内槽（１５）を回転させるモーター（２２）、及び外槽（１０）の上面を開閉する蓋（３）を設け、前記排水装置（１１）及びモーター（２２）を制御して少なくとも洗濯工程と、脱水工程とを形成する制御部（６）を設け、前記外槽（１０）の軸方向中間部に、内槽（１５）の外側面に向かって３００ｎｍ以下の紫外線を照射する殺菌灯（２５）を設ける。【選択図】図１
2006167243.tif 000002
【特許請求の範囲】
【請求項１】
無孔板により上部側が開口し、かつ底部側に排水口（１０ａ）を有する有底円筒状の外槽（１０）を設け、該外槽（１０）内に略同軸に嵌合されて回転可能に支持され、少なくとも周壁に多数の小孔（１５ａ）を有する上部が開口した有底円筒状の内槽（１５）を設け、前記排水口（１０ａ）を開閉する排水装置（１１）、前記内槽（１５）を回転させるモーター（２２）、及び外槽（１０）の上面を開閉する蓋（３）を設け、前記排水装置（１１）及びモーター（２２）を制御して少なくとも洗濯工程と、脱水工程とを形成する制御部（６）を設け、前記外槽（１０）の軸方向中間部に、内槽（１５）の外側面に向かって３００ｎｍ以下の紫外線を照射する殺菌灯（２５）を設けたことを特徴とする二重槽式洗濯機の殺菌装置。
【請求項２】
殺菌灯（２５）は制御部（６）によって、蓋（３）が閉じられ、かつ洗濯工程及び脱水工程の運転時に灯火されてなることを特徴とする請求項１記載の二重槽式洗濯機の殺菌装置。
【発明の詳細な説明】
【技術分野】
【０００１】
本発明は、洗濯時に、二重槽式洗濯機内に収容された洗濯物、洗濯水、及び内槽等に付着あるいは混入した雑菌を死滅させる二重槽式洗濯機の殺菌装置に関するするものである。
【背景技術】
【０００２】
従来の技術として、洗濯水を貯留および排出する外槽の内側面、及び洗濯物及び洗濯水を回転・攪拌する内槽の外側面を、波長４００ｎｍ以下の光照射により活性化して有機物を分解する光触媒微粒子を含有するフッ素樹脂層で被覆し、前記外槽の内側面と前記内槽の外側面との間の空間内に波長４００ｎｍ以下の光を発する光源を設置するようにしたものがあった。
【０００３】
上記従来のものは、外槽及び内槽の表面に付着する汚れや洗剤成分が除去され、これらの表面にカビが発生しなくなるので、衛生的な洗濯が行なえることになる。
しかしながら、上記従来のものは、外槽の内側面及び内槽の外側面を特殊なフッ素樹脂層で被覆するため高価になるものであった。また、光源からの光が内槽の外側面に向かって積極的に照射するようになっていないため、洗濯物に付着した雑菌、および洗濯水に混入した雑菌を効果的に死滅させることができないものであった。
【特許文献１】特開平９−３１３７８０号公報
【発明の開示】
【発明が解決しようとする課題】
【０００４】
本発明は、洗濯物、洗濯水、及び内外槽等に付着あるいは混入した雑菌を効率よく死滅させる二重槽式洗濯機の殺菌装置を得ることを目的とする。
【課題を解決するための手段】
【０００５】
請求項１に係る発明は、無孔板により上部側が開口し、かつ底部側に排水口を有する有底円筒状の外槽を設け、該外槽内に略同軸に嵌合されて回転可能に支持され、少なくとも周壁に多数の小孔を有する上部が開口した有底円筒状の内槽を設け、前記排水口を開閉する排水装置、前記内槽を回転させるモーター、及び外槽の上面を開閉する蓋を設け、前記排水装置及びモーターを制御して少なくとも洗濯工程と、脱水工程とを形成する制御部を設け、前記外槽の軸方向中間部に、内槽の外側面に向かって３００ｎｍ以下の紫外線を照射する殺菌灯を設ける構成にしたものである。
請求項２に係る発明は、前記殺菌灯を、制御部によって、蓋が閉じられ、かつ洗濯工程及び脱水工程の運転時に灯火させるようにしたものである。
【発明の効果】
【０００６】
請求項１に係る発明は、外槽の軸方向中間部に殺菌灯を設け、該殺菌灯から内槽の外側面に向けて３００ｎｍ以下の紫外線を照射するようにしたので、上記殺菌灯から発する紫外線は内槽の外側面に強く照射し、また、内槽の外側面に照射された紫外線の一部が外槽の内側面に反射され、内槽の外側面及び外槽の内側面に付着した雑菌を効率よく死滅させることになる。また、内槽の周壁に形成した多数の小孔を通過した紫外線が内槽に収容した洗濯物を照射し、該洗濯物に付着した雑菌を効率よく死滅させることになる。また、上記内槽と外槽との間隙部に洗濯水が存在すると、上記内槽の外側面及び小孔に向かう紫外線が上記洗濯水を通過し、該洗濯水に混入した雑菌を死滅させることになる。
【０００７】
請求項２に係る発明は、前記殺菌灯を、蓋が閉じられかつ洗濯工程及び脱水工程の運転時に灯火せるようにしたので、該殺菌灯から発する紫外線が人体に当たらなくなり、安全性が高くなる。
【発明を実施するための最良の形態】
【０００８】
以下本発明の実施の形態を図面に基いて説明する。図面において、図１は本発明の第１実施例を示す断面側面図、図２は本発明の第２実施例を示す断面側面図である。
【０００９】
図１において、１はバケット形の二重槽式電気洗濯機（以下「洗濯機」という）であり、密閉状のケース２内に上面が開口した有底円筒状の外槽１０、及び内槽１５を収容し、上面が蓋３によって開閉される。該蓋３はケース２の天板５にヒンジ４を介して回動可能に取り付けられる。上記天板５の後部（図１において右部）側に制御部６、給水弁（図示省略）が取り付けられ、また天板５の前部上面に操作パネル７が取り付けられている。８は上記ケース２の下部に取り付けた脚であり、該脚８を上下動調節してケース２を水平に支持するようになっている。
【００１０】
上記外槽１０は、無孔板により上部側が開口する有底円筒状に形成されてケース２に固定され、底部に排水口１０ａ、及び該排水口１０ａを開閉する排水装置１１が取り付けられ、また、上部に軸心方向に屈曲するフランジ１０ｂが形成されている。上記排水装置１１は電磁式の排水弁１１ａの排出側（下部）に排水ホース１１ｂを接続し、該排水ホース１１ｂはケース２の下部から外部に露出されている。
【００１１】
上記内槽１５は、周壁に多数の小孔１５ａを有する有底円筒状とし、底部に攪拌羽根１６が回転自在に取り付けられている。該内槽１５は外槽１０内に所定の間隙（ア）を保持して同心に嵌合され、底壁中心部で軸受１７を介して外槽１０に回転可能に支持される。軸受１６の軸心部には、上記攪拌羽根１６を回転させる第１駆動軸１８、及び内槽１５を回転させる第２駆動軸１９が同軸に挿通され、電磁式のクラッチ２０を介して駆動軸２１に選択的に連結される。駆動軸２１はプーリー、ベルト（符号省略）を介して外槽１０の底部に取り付けたモーター２２に連結されている。
【００１２】
上記外槽１０の周壁に３００ｎｍ以下の紫外線を発する多数の殺菌灯２５を取り付ける。本例では、外槽１０の周壁の上下２箇所にそれぞれ周方向に２〜４個の窓孔を等ピッチで形成すると共に、各窓孔を透明板２６により閉塞し、該透明板２６の外側にランプ式、又は発光ダイオード式の殺菌灯２５を内槽１５に向けて取り付ける。なお、この殺菌灯２５は外槽１０の周壁内側面に固定するようにしてもよく、また、リング状にして外槽１０の周壁内側面に固定するようにしてもい。
【００１３】
前述した給水弁、排水弁１１ａ、クラッチ２０、モーター２２、及び殺菌灯２５は、それぞれ制御部６に接続され、操作パネル７の所定のボタンを押すことによって所定の順序で駆動制御される。例えば、操作パネル７の自動運転ボタンＢ１を押すと、制御部６の自動運転プログラムがスタートし、蓋３が閉じられていることを確認した後、殺菌灯２５を点灯させるとともに、給水弁、排水弁１１ａ、クラッチ２０、モーター２２等が洗濯工程から脱水工程の運転に対応する所定の順序で駆動制御される。また、操作パネル７の脱水ボタンＢ２を押すと制御部６の脱水運転プログラムがスタートし、蓋３が閉じられていることを確認した後、殺菌灯２５を点灯させるとともに、上記各部が脱水工程の運転に対応する所定の順序で駆動制御される。また、点灯ボタンＢ３を押すと、殺菌灯２５のみが点灯されるようになっている。
【００１４】
図２は第２実施例を示す。図２において、１−１はドラム形の二重槽式電気洗濯機（以下「洗濯機」という）であり、密閉状のケース３０の前面（図２において左面）上部側に蓋３１を開閉可能に取り付け、該ケース３０内に上面が開口した有底円筒状の外槽３２、及び内槽３３を、各開口側が上記蓋３１に対面する如く前傾させて収容する。
【００１５】
上記外槽３２は無孔板により有底円筒状に形成してケース３０に固定（係止）し、上記内槽３３は周壁に多数の小孔を有する多孔板により有底円筒状に形成し、外槽３２内に所定の間隙（ア）を保持して同心に嵌合させ、その底部側で上記外槽３２に回転可能に取り付ける。上記外槽３２の周壁に前述と同様の殺菌灯３４を内槽３３に向けて取り付ける。なお、この殺菌灯３４は外槽３２の周壁内側面に固定するようにしてもよく、また、リング状にして外槽３２の周壁内側面に固定するようにしてもい。その他は前述した第１実施例と略同様の構造となっている。
【００１６】
上記実施例によれば、外槽１０の周壁に設けた殺菌灯２５から３００ｎｍ以下の紫外線を内槽１５の外側面に向けて照射するようにしたので、該紫外線が内槽１５の外側面に強く照射するとともに、内槽１５の外側面に照射された紫外線の一部が外槽１０の内側面に反射され、内槽１５の外側面及び外槽１０の内側面に付着した雑菌を効率よく死滅させることになる。また、内槽１５の周壁に形成した多数の小孔１５ａを通過した紫外線が内槽１５に収容した洗濯物を照射し、該洗濯物に付着した雑菌を効率よく死滅させることになる。また、内槽１５と外槽１０との間隙部に洗濯水が存在すると、内槽１５の外側面及び小孔１５ａに向かう紫外線が上記洗濯水を通過し、該洗濯水に混入した雑菌を効率よく死滅させることになる。これにより、洗濯物に雑菌が存在しなくなり、衛生的な洗濯が行なえるとともに、外槽１０及び内槽１５にも雑菌が付着しなくなり、異臭、およびカビの発生を防止することができる。
【００１７】
また、蓋３が閉じられるとともに、洗濯工程及び脱水工程の運転時に殺菌灯２５を灯火せるようにしたので、該殺菌灯２５から発する紫外線が人体に当たらなくなり、安全性が高くなる。
【図面の簡単な説明】
【００１８】
【図１】本発明の第１実施例を示す断面側面図である。
【図２】本発明の第２実施例を示す断面側面図である。
【符号の説明】
【００１９】
１    洗濯機
２    ケース
３    蓋
４    ヒンジ
５    天板
６    制御部
７    操作パネル
８    脚
１０    外槽
１０ａ  排水口
１０ｂ  フランジ
１１    排水装置
１１ａ  排水弁
１１ｂ  排水ホース
１５    内槽
１５ａ  小孔
１６    攪拌羽根
１７    軸受
１８    第１駆動軸
１９    第２駆動軸
２０    クラッチ
２１    駆動軸
２２    モーター
２５    殺菌灯
【図１】
2006167243.tif 000003
【図２】
2006167243.tif 000004